(57)【要約】【課題】送信機から出力される信号のパワーを較正する送信機及び方法【解決手段】第１制御信号により制御可能な第１特性及び第２制御信号により制御可能な第２特性を有する送信機回路（１０）は、正確なパワー制御を可能にする較正方法を使用して較正される。送信機回路（１０）は、一般的に、ＶＧＡ増幅器（１６）及びパワー増幅器（２２）を具備する。一般的に、ＶＧＡ増幅器１６の利得は、制御され、パワー増幅器（２２）に与えられる電流も同様である。その方法は、第１制御信号について複数の信号値のセットを定義すること、該第１制御信号を複数の第１制御信号値のセットからの信号値に対応するレベルに設定することを含む複数の動作を具備する。それから、第２制御信号は、送信機が所望の方法で動作するように調節され、送信機により送信された信号のパワーが、測定される。設定、調節及び測定は、複数の第１制御信号値のセットの各信号値に対して繰り返される。【選択図】図１
2015057925.tif 000002
【特許請求の範囲】
【請求項１】
第１制御信号により制御可能な第１特性及び第２制御信号により制御可能な第２特性を有する送信機回路を較正する方法、該方法は下記を具備する：
第１制御信号について複数の信号値のセットを定義すること；
複数の第１制御信号値の前記セットからの１つの信号値に対応するレベルに前記第１制御信号を設定すること；
所望の方式で送信機を動作させるために前記第２制御信号を調節すること；
前記所望の方式で動作している間に送信機により送信された信号のパワーを測定すること；及び
複数の第１制御信号値の前記セットにおける各信号値について、設定すること、調節すること及び測定することを繰り返すこと。
【請求項２】
複数の第１制御信号値の前記セットからの信号値に対する測定されたパワーを表すデータを記録することを更に具備する、請求項１記載の方法。
【請求項３】
データは、ルック−アップ・テーブルの入力として記録される、請求項１又は２記載の方法。
【請求項４】
前記所望の方式は、隣接チャンネル漏洩比範囲を含むパラメータにより定義される、請求項１、２又は３記載の方法。
【請求項５】
前記送信機回路は、第１増幅器及び第２増幅器を具備し、前記第１特性は前記第１増幅器の特性であり、前記第２特性は前記第２増幅器の特性である、請求項１から４のいずれか１に記載の方法。
【請求項６】
前記第１増幅器は、パワー増幅器を具備し、前記第１制御信号により制御される特性は、前記パワー増幅器への供給電流を具備する、請求項５記載の方法。
【請求項７】
前記第２増幅器は、調整増幅器を具備し、前記第２制御信号により制御される特性は、前記調整増幅器の利得を具備する、請求項５又は６記載の方法。
【請求項８】
第１制御信号により制御可能な第１特性及び第２制御信号により制御可能な第２特性を有する送信機回路を較正する方法、該方法は下記を具備する：
第１制御信号値について複数の信号値のセットを定義すること；
送信機により送信された信号のパワーを表す複数のパワー値のセットを定義すること；
複数の第１制御信号値の前記セットからの１つの信号値に対応するレベルに前記第１制御信号を設定すること；
複数のパワー値の前記定義されたセットからパワー値を選択すること；
選択されたパワー値に対応するパワーで信号を送信機に送信させるために前記第２制御信号を調節すること；及び
複数のパワー値の前記セットにおける各パワー値について、選択すること及び調節することを繰り返すこと。
【請求項９】
送信された信号のパワーに対する前記第２制御信号を表すデータを記録することを更に具備する、請求項８記載の方法。
【請求項１０】
複数の第１制御信号値の前記セットからの各信号値について、設定すること、調節すること、選択すること及び繰り返すことを、繰り返すことを更に具備する、請求項８又は９記載の方法。
【請求項１１】
前記第２制御信号を表すデータ及び複数の第１制御信号値のセットからの信号値に対して送信された信号のパワーを記録することを更に具備する、請求項９に従属する請求項１０記載の方法。
【請求項１２】
前記第２制御信号を表すデータ及び送信された信号のパワーは、複数の第１制御信号値の前記セットからの各信号値について別々のリストに記憶される、請求項１０又は１１記載の方法。
【請求項１３】
各別々のリストのデータは、それぞれのルック−アップ・テーブルの入力として記録される、請求項１２記載の方法。
【請求項１４】
前記第１制御信号についての複数の信号値のセットは、第１制御信号値に対する送信された信号パワー値を表す以前に作成されたデータを使用することにより定義される、請求項８又は９記載の方法。
【請求項１５】
以前に作成されたデータは、複数のパワー値の定義されたセットからパワー値を選択し、第１制御信号について信号値を計算することによって使用される、請求項１３記載の方法。
【請求項１６】
前記送信機回路は、第１増幅器及び第２増幅器を具備し、前記第１特性は前記第１増幅器の特性であり、前記第２特性は前記第２増幅器の特性である、請求項８から１５のいずれか１に記載の方法。
【請求項１７】
前記第１増幅器は、パワー増幅器を具備し、前記第１制御信号により制御される特性は、前記パワー増幅器への供給電流を具備する、請求項１６記載の方法。
【請求項１８】
前記第２増幅器は、調整増幅器を具備し、前記第２制御信号により制御される特性は、前記調整増幅器の利得を具備する、請求項１６又は１７記載の方法。
【請求項１９】
以前に作成されたデータは、請求項１から７のいずれかに記載の方法を使用して作成される、請求項１４又は１５記載の方法。
【請求項２０】
前記第２制御信号についての開始値のセットを記憶すること、及び
選択されたパワー値に対応するパワーで信号を送信機に送信させるために第２制御信号を調節するときに開始値のセットを使用すること、
を更に具備する、請求項１９記載の方法。
【請求項２１】
下記を具備する送信機：
パワー値を指定するパワー・データを受信するための受信機；
第１制御信号により制御可能な第１特性及び第２制御信号により制御可能な第２特性を有する増幅器；
パワー値、対応する第１制御信号値及び対応する第２制御信号値を表すデータを記憶するための記憶装置；及び
受信されたパワー・データに応答して、前記第１特性を制御するための第１制御信号及び前記第２特性を制御するための第２制御信号を前記記憶装置に記憶されたデータから発生させるための、前記受信機及び前記記憶装置に接続されたコントローラ。
【請求項２２】
前記増幅器は、第１増幅器及び第２増幅器を具備し、前記第１特性は前記第１増幅器の特性であり、前記第２特性は前記第２増幅器の特性である、請求項２１記載の送信機。
【請求項２３】
前記記憶装置は、ルック−アップ・テーブルを具備し；
前記コントローラは、前記増幅器に接続されたアナログ・ディジタル変換器を具備し；
前記コントローラは、受信されたパワー・データを前記ルック−アップ・テーブルに適用するように構成され；
前記ルック−アップ・テーブルは、前記アナログ・ディジタル変換器にデータを供給することによって受信されたパワー・データの適用に応答するように構成され；及び
前記アナログ・ディジタル変換器は、前記第１制御信号を前記第１増幅器に、前記第２制御信号を前記第２増幅器に出力することによって、供給されたデータに応答するように構成される：
請求項２２記載の送信機。
【請求項２４】
前記コントローラは、前記第１制御信号値及び前記第２制御信号値を直接に前記アナログ・ディジタル変換器に出力するように構成される、請求項２３記載の送信機。
【請求項２５】
前記コントローラは：
前記第１制御信号及び前記第２制御信号を定義するデータを生成するために記憶装置からのデータを処理する；及び
それをアナログ・ディジタル変換器に出力する、
ためのプロセッサを具備する、請求項２３又は２４記載の送信機。
【請求項２６】
前記記憶装置は：
パワー値及び対応する第１制御信号値を表すデータを記憶するための第１ルック−アップ・テーブル；及び
パワー値及び対応する第２制御信号値を表すデータを記憶するための第２ルック−アップ・テーブル、
を具備する、請求項２１から２５のいずれかに記載の送信機。
【請求項２７】
前記記憶装置は、第１制御信号値の前記セット中の各値に対して１つの、複数の第２ルック−アップ・テーブルを具備し；及び
前記プロセッサは、指定されたパワー・データを使用して、第１ルック−アップ・テーブルから第１制御信号値を生成するように、および、そのようにして生成された第１制御信号値を使用して、指定されたパワー・データに応じて第２制御信号値を生成する際に使用するための第２ルック−アップ・テーブルを特定するように構成される、
請求項２６記載の送信機。
【請求項２８】
前記第１増幅器はパワー増幅器を具備し、前記第１制御信号により制御される特性は前記パワー増幅器への供給電流を具備する、請求項２２又はそれに従属する請求項２３から２７のいずれかに記載の送信機。
【請求項２９】
前記第２増幅器は調整増幅器を具備し、前記第２制御信号により制御される特性は前記調整増幅器の利得を具備する、請求項２２又はそれに従属する請求項２３から２８のいずれかに記載の方法。
【請求項３０】
前記記憶装置中のデータは請求項１から１７のいずれかに記載の方法を使用して発生される、請求項２１から２９のいずれかに記載の送信機。
【請求項３１】
添付図面に関連して実質的にこの中に記載された方法。
【請求項３２】
添付図面に関連して実質的にこの中に記載された装置。
【発明の詳細な説明】
【技術分野】
【０００１】
本発明は、一般に、送信機に係り、送信機から出力される信号のパワーを較正する方法に関する。本発明は、移動電話機のパワー増幅器の電流を制御するために有用であるが、このような応用に限定されない。
【背景技術】
【０００２】
今日まで、セルラ・システムのためのハンドセット送信機設計の重点は、送信機において充分な直線性を得ることに焦点を合わせてきた。高い効率を得ることの課題は、ごく最近になって検討されようとし始めたばかりである。従って、既存のハンドセット設計は、非常に非効率的な送信機を有する。特に、これだけに限定するものではないが、近年開発されてきており、今後も開発され続ける、種々のＣＤＭＡ標準に基づくシステムでは、パワー制御は、セルラ・ベースの移動電話システムの設計の重要な観点である。
【０００３】
パワー増幅器は、移動電話機により送信される信号のパワーを制御するために、移動電話機において使用される。これまで、このようなパワー増幅器は、能動装置のバイアス状態を制御する手段がないか、又はそのようにするある形式の非常に粗い手段を有するかのどちらかであった。ある種のパワー増幅器は、２つのモード、即ち、低電流モード及び高電流モードのうちの１つのモードで動作するように設計されてきている。高電流モードは、最高の必要とされた出力パワーで充分な直線性を得るために使用され、低電流モードは、少ない供給電流を用いてより低いパワーで充分な直線性を得るために使用される。
【０００４】
パワー増幅器に関連する制御回路系は、必要とされた出力パワーに依存して、２つのモードの間でパワー増幅器を切り替えるための制御信号を発生させるように構成される。これらの増幅器回路において、電流制御信号は、低電流モード及び高電流モードの間でパワー増幅器の動作を切り替える２進信号である。より低いレベルで電池から取り出される少ない電流は、パワー増幅器の直線性を損なう。しかしながら、より低い出力パワーでは、やはり直線性に対する要求が少ないので、低電流モードは、低出力パワーでの動作の間に使用される。パワー増幅器からの出力パワーがある値（通常、１０ｄＢｍと２０ｄＢｍとの間）を超過する場合に、劣化した直線性は、性能を指定された限界に近づかせる。
【０００５】
ＷＣＤＭＡ（登録商標）の場合において、関心のあるパラメータは、隣接チャンネル漏洩比（Adjacent Channel Leakage Ratio）（ＡＣＬＲ）及びスペクトル放出マスク（spectral emission mask）である。これらの値がそれぞれの事前決定されたしきい値を超過するとき、パワー増幅器は、高電流モードへ切り替えられ、そこでは、電池から取り出されるより高い電流を消費することで、直線性が改善される。
【０００６】
このような構成は、パワーが制御されることを可能にする一方で、通話の間にパワー消費を最小にすることはない。利用可能な電池エネルギーの量は、限度があるので、パワー消費の最小化は、どの移動装置においても重要である。これまで、電流制御信号は、パワー増幅器が高電流モードと低電流モードとの間で変更する必要がある場合に、状態を変化させるために構成されていた。実際の切り替え点は、通常、パワー増幅器のある出力パワーとして指定される。パワー増幅器の動作は、最大のパワーにおいて且つ増幅器が低電流モードと高電流モードとの間で切り替える点においてのみ、直線性、効率及びパワーの観点から最適条件で行われる。
【０００７】
前述の構成が正確なパワー制御を可能にするという点で充分である一方で、通話の間に移動電話機によるパワー消費を最小化しないということにおいて、満足に達しない。
【発明の概要】
【０００８】
本発明は、上記に議論された問題に対処する。
【０００９】
本発明の１つの観点に従って、第１制御信号により制御可能な第１特性及び第２制御信号により制御可能な第２特性を有する送信機回路を較正する方法が提供され、該方法は、下記を具備する：第１制御信号について複数の信号値のセットを定義すること；複数の第１制御信号値のセットからの１つの信号値に対応するレベルに第１制御信号を設定すること；所望の方式で送信機を動作させるために第２制御信号を調節すること；所望の方式で動作している間に送信機により送信された信号のパワーを測定すること；及び複数の第１制御信号値のセットの各信号値について、設定すること、調節すること及び測定することを繰り返すこと。
【００１０】
本発明の他の１つの観点に従って、第１制御信号により制御可能な第１特性及び第２制御信号により制御可能な第２特性を有する送信機回路を較正する方法が提供され、該方法は、下記を具備する：第１制御信号値について複数の信号値のセットを定義すること；送信機により送信された信号のパワーを表す複数のパワー値のセットを定義すること；複数の第１制御信号値のセットからの１つの信号値に対応するレベルに第１制御信号を設定すること；複数のパワー値の定義されたセットからパワー値を選択すること；選択されたパワー値に対応するパワーで信号を送信機に送信させるために第２制御信号を調節すること；及び複数のパワー値のセットにおける各パワー値について、選択すること及び調節することを繰り返すこと。
【００１１】
本発明の更なる観点に従って、下記を具備する送信機が提供される：パワー値を指定するパワー・データを受信するための受信機；第１制御信号により制御可能な第１特性及び第２制御信号により制御可能な第２特性を有する増幅器；パワー値、対応する第１制御信号値及び対応する第２制御信号値を表すデータを記憶するための記憶装置；及び、受信されたパワー・データに応答して、第１特性を制御するための第１制御信号及び第２特性を制御するための第２制御信号を記憶装置に記憶されたデータから発生させるための、受信機及び記憶装置に接続されたコントローラ。
【００１２】
本発明の１つの目標は、送信機の全ダイナミック・レンジに亘って、パワー増幅器により取り出されるパワー供給電流を最小にすることである。これは、パワー増幅器により消費されるパワーが、必要とされた送信パワー・レベルで送信するために必要なパワーに制限されるために、電池寿命が延長されることを可能にする。
【００１３】
この中に説明されるパワー増幅器電流のダイナミック制御の方法は、増幅器の全ダイナミック・レンジに亘って、直線性、効率及びパワーの点から、動作を最適化するために連続的な、又は連続的に近いバイアス調節能力を利用する。これまで使用されたディジタル制御線及び２つのモードの動作の代わりに、方法は、多種多様な状態を有する電流制御入力を使用する（あるいは、増幅器は、連続的に調節可能なアナログ電圧に応答することができる）。多状態入力は、任意の特定の出力パワー・レベルに対する特定の増幅器バイアス条件を設定するために使用される。このように、充分な直線性で最大に近い効率が得られるような、任意の所与の出力パワーに対する最適の供給電流を設定することが可能である。ＣＤＭＡシステムの場合において、送信機チェーンの直線性（特に、パワー増幅器の送信機チェーンの直線性）は、以前に述べられた２つの性能パラメータ、ＡＣＬＲ及びスペクトル放出マスクにより測定されるような、ハンドセットの性能を決定する。
【００１４】
本発明の上記の及びさらなる特徴は、添付された特許請求の範囲に特に述べられており、その利点とともに、添付した図面を参照して与えられる発明の例示的な実施形態の下記の詳細な説明を考慮することからさらに明確にされる。
【図面の簡単な説明】
【００１５】
【図１】図１は、送信機の模式的ブロック図である。
【図２】図２は、一般的な送信機の特性の一例である。
【図３】図３は、送信機中の増幅器の他の１つの特性の例である。
【図４】図４は、図３の特性の値を測定するための手順を表す。
【図５】図５は、個別の出力パワー値のセットに対する個別の電圧値のセットを示すグラフである。
【図６】図６は、幾つかのルック−アップ・テーブルが使用される利得制御特性を測定する処理を示す手順のフロー図である。
【図７】図７は、図６に示される手順により作成されたルック−アップ・テーブル中のデータと、必要とされる出力パワー値がどのようにして比較されるかを図示する。
【図８】図８は、代案の較正方法を示す。
【図９】図９は、図８に示される手順により作成されたルック−アップ・テーブル中のデータと、必要とされる出力パワー値がどのようにして比較されるかを図示する。
【図１０】図１０は、他の１つの較正手順を図示するブロック図である。
【図１１】図１１は、図１０に述べられた較正手順の簡素化したバージョンのブロック図である。
【詳細な説明】
【００１６】
ここで、添付図面の図１に戻ると、送信機１０の模式的ブロック図が示される。図１に図示される送信機１０のような送信機は、一般に、ＣＤＭＡ信号（又はＷＣＤＭＡ若しくは他のＣＤＭＡ標準）を送信するために使用されるが、このような信号の送信に限定されない。例えば、送信機は、ＱＰＳＫ変調方式又は非定常信号包絡線を有する他の変調方式を採用するセルラ・システムに使用されることができる。
【００１７】
送信機１０は、音声、データ又は送信されるべき他の情報を表す信号を発生させる回路系（図示されていない）及び送信機の素子の動作を制御するための制御信号を発生させる制御回路系（図示されていない）を含むベースバンド回路系１２を具備する。他のものの中で、ベースバンド回路系は、データを処理し且つ送信機のその他の部分に対する制御信号を発生させるためのプロセッサ及び関連するメモリを含む。ベースバンド回路系１２もまた、送信に関する（例えば、音声又は情報を表す）データを発生させるための回路を含む。そのデータは、送信に適切な形式に変換される。例えば、ベースバンド回路系は、ＷＯ-Ａ-９２００６３９に記載されているような構成を含むことができる。その構成において、データは、送信のために搬送波信号に適用されることができる同相（in-phase）（Ｉ）成分と直交（quadrature）（Ｑ）成分の両方を有する変調された（ＣＤＭＡ）信号に変換される。
【００１８】
図１に示される送信機１０において、送信されるべき情報を有するＩ及びＱ信号１３は、ベースバンド回路系１２からそれらが変調されるＩ／Ｑモジュレータ１４へ出力される。Ｉ／Ｑモジュレータ１４からの変調された信号１５は、可変利得増幅器（variable gain amplifier）（ＶＧＡ）１６に入力され、可変利得増幅器１６もまた、ベースバンド回路系１２から利得制御信号１７を受信する。可変利得増幅器は、信号を実質的に均一なサイズに増幅することにより次の段階に対する変調された信号を調整するために備えられる。利得制御信号１７は、一般的に、ベースバンド回路系１２中のディジタル・アナログ変換器（digital to analog converter）（ＤＡＣ）（図示されていない）から出力されるアナログ電圧である。利得制御信号１７は、送信機１０の利得を調節する。
【００１９】
可変利得増幅器１６からの信号は、ミキサ１８に与えられ、そこで局部発振器（local oscillator）（ＬＯ）１９により発生された信号と混合される。ミキサ１８からの信号は、バンド・パス・フィルタ２０によりフィルタされ、それから、パワー増幅器２２に渡される。パワー増幅器２２は、しかも、ベースバンド回路系１２から電流制御信号２３を受信する。電流制御信号２３は、そこから出力される信号に要求されるパワー・レベルに依存して、パワー増幅器２２のバイアス電流を調節する。パワー増幅器２２から出力された信号は、送信のためにアンテナ２６へ出力される前に、バンド・パス・フィルタ２４によりフィルタされる。
【００２０】
２つの別々の増幅器が図１に示されているが、単一の増幅器で利得制御機能と電流制御機能の両方を提供することが可能であることは、当業者には理解されよう。また、ＶＧＡ増幅器１６は、ミキサ１８の後に配置されることもできる。更に、パワー増幅器２２は、２段階以上の増幅、例えば、パワー増幅器が後に続くパワー増幅器ドライバ、により構成されることができ、この場合において、ＰＡドライバは、ＶＧＡとしての役割を果たし且つ利得制御信号により制御されることができる。図１に図示される送信機構成は、その簡潔さ及び本発明の理解を容易にすることができるために、選択されている。
【００２１】
同様に、利得制御信号１７（または、ベースバンド回路系１２により発生される、同様であるが別個の利得制御信号）もまた、パワー増幅器２２に入力されることができ、電流制御信号２３（または、ベースバンド回路系１２により発生される、同様であるが別個の利得制御信号）もまた、ＶＧＡ１６に入力されることができることが、理解されよう。しかしながら、説明を簡単にする目的のために、これらの追加の信号は、図面から割愛されている。
【００２２】
この中の上記に既に述べられたように、従前の送信機においては、電流制御信号は、必要とされた出力パワーのレベルに依存して、パワー増幅器が、低電流モードと高電流モードとの間で変更することを可能にする２値信号であった。このように、従前の送信機においては、それは、パワー増幅器に与えられたバイアス電流を介して粗い制御を単に供給する電流制御信号を有する、送信機から出力されたパワーを介して大部分の制御を与えられた利得制御信号であった。送信機回路１０において、電流制御信号１７は、零の近くの値から最大までの値でバイアス電流を設定することに対応して、広い範囲の値に亘り可変である。このような制御信号は、増幅器パワーの全ダイナミック・レンジに亘り最適効率が得られることを可能にする。電流制御信号１７は、連続的なアナログ信号又はＮビット・ディジタル信号であることができる多状態信号（multi-state signal）である。
【００２３】
手短に、添付図面の図２に戻って、送信機１０の特性の一例が示される。グラフは、所与のバイアス電流条件、即ち、所与の制御電流信号値、に関して利得制御信号１７に対する送信のためにアンテナ２６へ出力される信号の出力パワーを表す。図２において判るように、アンテナ２６での出力パワーと利得制御信号１７との間の関係は、線形ではない。構成成分の公差は、任意の特定の制御電圧入力に対する異なる送信機の間の出力パワーのようなパラメータのばらつきを生じる。
【００２４】
グラフの非線形特質は、特性が方程式として容易に表されることができないことを意味する。従って、多状態電流制御信号１７の使用を可能にするために、送信機の非線形パワー制御特性が、測定され且つ記憶される必要がある。この情報を用いて、可変利得増幅器（variable gain amplifier）（ＶＧＡ）１６の利得及びパワー増幅器２２の電流は、最適効率で所望のダイナミック・レンジの範囲内の任意の出力パワーを実現するように設定されることができる。較正手順は、測定技術の使用により及び１つ以上のルック−アップ・テーブル（look-up table）又はデータ配列の形式で記憶されたデータの使用により、任意の必要とされたパワー・レベルに対して、これらの両方の制御信号に関する理想的な値の決定を可能にする。
【００２５】
パワー制御特性の測定は、較正手順としてなされる。較正手順は、必要とされたパワー値上へのＡＧＣ信号及び電流制御信号値のマッピングを可能にし、その結果、ＡＧＣ信号と電流制御信号の両方ともが、最小の供給電流で適切な性能を得るために、必要な任意のパワー・レベルに対して最適値に設定されることができる。
【００２６】
出力パワーに対する電流制御信号の変換特性（transfer characteristic）を測定するための手順は、ここで説明される。この特性を表現するデータは、利得制御特性が測定される前に、最初に決定されそして記憶される。送信機１７において、最適の又は最小の供給電流で指示されたＡＣＬＲ（隣接チャンネル漏洩比（Adjacent Channel Leakage Ratio））性能をもたらすために、ＡＧＣを設定する前に、電流が設定される必要があるので、これは、必要である。
【００２７】
電圧（Ｖagc）は、ＶＧＡ増幅器１６に入力される利得制御信号１７として使用される。同様に、電圧Ｖcontrolは、パワー増幅器２２に入力される電流制御信号２３として使用される。現在利用可能なパワー増幅装置において、電流制御信号（Ｖcontrol）が、一般的に、単純なバイアス入力であることは、注目されるべきである。これが意味するものは、出力パワーと供給電流の両方が、ＶagcとＶcontrolの両方に従って変化することである。これは、ただ単に、出力装置への入力ＲＦ信号が、‘自己バイアス’の処理を通して、その装置のＤＣバイアスに寄与するからである。従って、新規のパワー・レベルが要求されるとき、そのアプローチは、そのパワー・レベルに対して事前に定義された値にＶcontrol信号を固定し、且つＶcontrolのその値に対して必要とされた直線性を生じるようにＶagc信号を調節することである。較正処理は、各パワー・レベルについて事前に定義されたＶcontrolの値を明確化させ、且つそのパワー・レベルに対して必要とされたＶagcの自動照合（look-up）又は計算のどちらかを可能にする。
【００２８】
添付図面の図３は、所与のＡＣＬＲに関して出力パワー（Ｐ）に対するＶcontrolの観点から増幅器の特性の１つの例を示す。電流制御信号Ｖcontrolのダイミック・レンジは、この特性により決定される。ダイナミック・レンジの一端において、最小電圧Ｖcontrol（１）は、しきい値電圧としてパワー増幅器に対して指定された電圧より決して大きくないはずである。しきい値電圧より下では、パワー増幅器が電源を切られるとみなされる。他端において、最大電圧Ｖcontrol（ｎ）は、最大の指定されたパワーが最適効率より僅かに小さい効率を有する電話機から生成されるような値より小さくないはずである。即ち、Ｖcontrol（ｎ）は、予想された動作条件下で最高の必要とされるパワーまで、パワー増幅器の効率的な動作を可能にさせるために充分に高い値を有するべきである。
【００２９】
Ｖcontrolの測定は、Ｖcontrolの隣接する値の間で適切な間隔をとって、全ダイナミック・レンジの全体に亘って行われる。１つの例として、任意の隣接する電圧値の間の間隔は、５０ミリボルトであることができる。他の１つの例として、パワーの都合の良い間隔を与えるために、値の間の間隔は、既知の一般的なパワー増幅器の特性に従って、変化させることができる。
【００３０】
添付図面の図４は、図３の特性の値を測定するための手順を表す。手順は、囲い枠（box）３１において整数値ｉをゼロに設定することで始まり、ｉ＝ｍまでの全てのｉの値にわたり繰り返される。従って、手順の１巡目において、電流制御信号の電圧は、囲い枠３２において値Ｃに設定される。次に、囲い枠３３において、利得制御信号の電圧は、ＡＣＬＲが設定されたしきい値（例えば、仕様の範囲内の３ｄＢ）に到達するまで調節される。出力パワーＰ（１）は、囲い枠３４において記録され、Ｖcontrol（１）及びＰ（１）の値は、それから、囲い枠３５においてテーブルに記憶される。ｉの値は、囲い枠３６において増加させられ、手順は、それから、Ｖcontrol（１）に設定された電流制御信号（Ｖcontrol）の値を用いて繰り返され、そして、再度、Ｐの値がＶcontrol（ｉ）のｉ＝１からｍまでの全ての値に対して記憶されるまで、繰り返される。この測定手順の最終結果は、（図３に示されるように）出力パワーに対する電流制御電圧の特性を表すテーブルである。一般的に、結果は、次の段階でデータへの迅速なアクセスを可能にするためのルック−アップ・テーブル（“電流制御ルック−アップ・テーブル”）として記憶される。
【００３１】
図５は、グラフの形式で描かれた場合に、電流制御ルック−アップ・テーブルに記憶された典型的な結果のセットがどのように見えるか、すなわち、離散的な出力パワー値のセットに対する離散的な電圧値のセット、を示すグラフである。電流制御ルック−アップ・テーブルは、任意の必要とされた出力パワーＰの値について電流制御電圧Ｖcontrolの適切な値を計算するために使用される。電流制御ルック−アップ・テーブルからのデータが、このように決定された個別の値から変換特性の線形バージョンを計算するために、ベースバンド回路系により使用されることができる、多くの方法がある。
【００３２】
１つの方法は、任意の隣接出力パワー値Ｐ（ｉ）とＰ（ｉ＋１）との間の電圧が一定であると仮定することである。この仮定がなされるならば、線形変換特性は、幾つかの異なる供給電流設定値の各々に対して1つずつの、幾つかのルック−アップ・テーブルを使用して、又は、１つのルック−アップ・テーブルを使用することと利得制御特性を１つだけ測定することによって、決定されることができる。図６は、幾つかのルック−アップ・テーブルが使用される利得制御特性を測定するための処理を示す手順のフロー図である。図６に示される処理において、利得制御特性を測定する手順は、電流制御ルック−アップ・テーブルに記憶されている、Ｖcontrol（１）からＶcontrol（ｍ）までの各電圧レベルに対して繰り返される。この様にして、（ｍ＋１）個のルック−アップ・テーブル（“利得制御ルック−アップ・テーブル”）が、Ｖcontrolの各値に対して１つ生成される。
【００３３】
ここで、図６を参照すると、ブロック４０において、ｊの値は、１からｍまで定義され、ブロック４１において、Ｖcontrolは、ｊ番目の値に設定される。このように、処理は、Ｖcontrolの（ｍ＋１）個の異なる値、即ち、（ｍ＋１）個の異なるバイアス電流設定値、に対して繰り返される。ブロック４２において、ｉの値は、１からｎまで定義される。この処理における値ｎは、図４に関連してこの中で上記に説明された処理における値ｎと同じである必要はない。ブロック４３において、利得制御信号Ｖagcは、所望のパワー出力Ｐ（ｉ）に等しいパワーを有する出力信号を与えるように調節される。Ｖagc（ｉ）及びＰ（ｉ）の値は、それから、ブロック４４により表されるように記憶される。
【００３４】
ブロック４５において、ｉの次の値が選択され、ブロック４３及び４４により表される動作が、ｉ＝ｎまで繰り返されて、Ｖcontrol（ｊ）の設定に対してｉ＝１からｎの各値についてのＶagc及びＰの値を与える。ブロック４５においてｉ＝ｎのとき、ｊ番目の利得制御ルック−アップ・テーブルは、完了する。ブロック４７において、ｊの値が、増加させられる。ブロック４１から４６は、その後、繰り返され、これは、ｍの全ての値に対して継続する。この様にして、Ｖcontrolの全ての（ｍ＋１）個の値に関して、Ｖagc（ｉ）及びＰ（ｉ）に関する値の対応するセットが記憶される。
【００３５】
各ルック−アップ・テーブルは、Ｖcontrol（ｊ）の特定の値に対してＶagc（ｉ）及びＰ（ｉ）の比較的小さい範囲の値を含むだけであるので、各利得制御ルック−アップ・テーブルは、それ自身が比較的小さい。その範囲は、ＡＣＬＲしきい値が、以前に決定されたパワー増幅器特性に基づくそのＶcontrol（ｊ）に対して満足されることができることを保証するために選択される。これは、必要とされたパワー（Ｐ）に対してＶcontrol及びＶagcを較正する１つの方法である。他の１つの方法が、下記に説明される。
【００３６】
移動電話機に電流制御ルック−アップ・テーブル及び利得制御ルック−アップ・テーブルを記憶させることは、電話機により送信される信号のパワーの制御にその値が使用されることを可能にする。セルラ・システムにおいて、移動電話機により送信される信号のパワーは、一般的に、２つの方法で制御される。先ず第１に、電話機は、電話機が受信している信号の強度の変化を調べ、反対方向の電話機の出力を調節する。これは、“開ループ”パワー制御として公知である。第２に、電話機は、移動電話機から基地局において実際に受信された信号の強度に基づいて、基地局からの制御信号又は命令信号を受信する。信号が弱いならば、命令は、電話機から送信される信号のパワーを増大させる結果となり、信号が強ければ、命令は、パワーを減少させる結果となる。これは、“閉ループ”パワー制御として公知である。両方の形式のパワー制御は、ＵＳ-Ａ-５，０５６，１０９及びその他に記載され、更に、この中に記載される必要はない。
【００３７】
添付図面の図７は、“閉ループ”通話の間に、必要とされた出力パワーがルック−アップ・テーブルのデータとどのように比較されるか、及びこのデータを用いて、ベースバンド回路系１２（図１参照）が信号線１７上のＶagc及び信号線２３上のＶcontrolの適切な値をどのようにして設定するか、を図示する。ブロック５０において、移動電話機は、送信機が出力するように要求された出力パワー（Ｐ）を定義するデータを受信する。ブロック５１において、そのＰデータは、電流制御ルック−アップ・テーブルのＶcontrolに関する値を自動照合するために使用される。ルック−アップ・テーブルの解に依存して、記憶されたＰの値は、受信されたデータにより指定された要求値と正確に対応しない可能性がある。この場合において、必要とされたＰより高くて最も近い記憶されたＰの値が、Ｖcontrolの値を与えるために選択される。一旦、Ｖcontrolに関する値が決定されると、ブロック５２により表されるように、それは、適切な利得制御ルック−アップ・テーブルを選択するために使用される。それから、ブロック５３に示されるように、受信されたパワー・データは、再度使用されて、今度は、必要とされた出力パワーより上で最も近い出力パワーを与えるＶagcに関する値を割り出す。この様にして、Ｖcontrol及びＶagcの値が、決定される。ブロック５４において、これらの値は、ベースバンド回路系１２により、パワー増幅器２２及びＶＧＡ増幅器１６に与えられる（図１参照）。
【００３８】
このように、多状態入力は、任意の特定の出力パワー・レベルに関する特定の増幅器バイアス条件を設定するために使用される。それゆえ、最大に近い効率が充分な直線性で得られるように、任意の所与の出力パワーに対して最適供給電流を設定することが可能である。ＣＤＭＡシステムの場合では、図１に示されたものような、送信機回路系の直線性（特に、パワー増幅器の直線性）が、以前述べられた２つの性能パラメータＡＣＬＲ及びスペクトル放出マスクにより測定されるように、ハンドセットの性能を決定する。
【００３９】
図７に示される手順は、計算のための複雑なアルゴリズムを使用しないので、マイクロプロセッサ・パワーの点から効率的である。しかしながら、それは、電流制御ルック−アップ・テーブル及び複数の（ｍ＋１）個の利得制御ルック−アップ・テーブルを記憶するために多量のメモリ空間を必要とするという点で、非効率的である。代わりのアプローチは、利得制御特性に関するただ１つのルック−アップ・テーブルを使用することである。この代案に関するデータは、電流制御電圧Ｖcontrolを適切な個別の電圧レベルに設定すること、及び利得制御電圧電流に対するパワー・データ対（Ｖagc（ｉ）、Ｐ（ｉ））を測定することにより、得られる。パワー・データ対（Ｖagc（ｉ）、Ｐ（ｉ））は、制御ルック−アップ・テーブル中に記憶されている。利得制御電圧が、全ダイナミック・レンジを測定するために段階的に上昇させられるので、それに応じて、電流制御は、段階的に上昇させられる。
【００４０】
この代案に関する較正方法は、ここで、添付図面の図８に示される手順を参照して、より詳細に説明される。手順は、電流制御ルック−アップ・テーブルからのデータを頼りにする。従って、手順が始められる前に、電流制御ルック−アップ・テーブルは、例えば、図４に図示された手順を使用して、作成されなければならない。これは、図８のブロック６０により表される。ブロック６０において、Ｖcontrol（ｊ）の値は、Ｐ（ｊ）の値に対して記憶されることに注目されたい。利得制御ルック−アップ・テーブルを作成するための手順は、ブロック６１で始まり、同じステップの順序で繰り返す整数ｉを含む。整数ｉは、ブロック６０の整数ｊと同じである必要はない。この結果、所望の出力パワーＰの所与の値について、電流制御ルック−アップ・テーブル中に正確に整合する入力がない可能性がある。
【００４１】
ブロック６２において、所望の出力パワーＰ（ｉ）を与えるために必要とされたＶcontrol（ｊ）の値は、電流制御ルック−アップ・テーブルから決定される。Ｖcontrol（ｊ）の値は、隣接する出力パワーの値、即ち、所望の値Ｐ（ｉ）がそれらの間に存在するＰ（ｊ）及びＰ（ｊ＋１）、を割り出すことにより、及びこのように割り出された２つのパワー値のより高い方のＶcontrolの値をとることにより、決定される。換言すれば、所望の値Ｐ（ｉ）より上で最もＰ（ｉ）に近いＰ（ｊ）の値が、Ｖcontrol（ｊ）に関する適切な値を決定するために使用される。ブロック６３において、値Ｖcontrol（ｊ）に対応する電圧Ｖcontrolは、パワー増幅器２２（図１参照）に与えられる。より高い方の値は、これが、ＡＣＬＲマージンが少なくとも指定された最小値であることを保証するので、選択される。
【００４２】
送信機回路は、ここで、送信機から出力される信号のパワーがＰ（ｉ）に等しくなるまで、ＶＧＡ増幅器１６（図１参照）に与えられた電圧Ｖagcが調節されることを可能にするように設定される。これは、図８のブロック６４により表される。一旦、これが実現されてしまうと、与えられた電圧Ｖagcに対応する値Ｖagc（ｉ）は、利得制御ルック−アップ・テーブル中にＰ（ｉ）に対して記憶され、ブロック６５に示される。ｉの値は、ブロック６６において増加され、ブロック６１から６５により表される動作が、ｉの全てのｎ個の値に対して繰り返される。
【００４３】
添付図面の図９は、 “閉ループ”通話の間に、必要とされた出力パワーがルック−アップ・テーブルのデータとどのように比較されるか、及びこのデータを用いて、ベースバンド回路系１２（図１参照）が信号線１７上のＶagc及び信号線２３上のＶcontrolの適切な値を設定するか、を図示する。データ（Ｐdesired）７０は、利得制御ルック−アップ・テーブル７１と電流制御ルック−アップ・テーブル７２の両方の入力として与えられる。２つのルック−アップ・テーブル７１、７２は、それぞれ、Ｖagc及びＶcontrolに関する値を出力することにより応答する。そこには、所望のパワーの値に対してルック−アップ・テーブル中に正確なパワーＰの値がない可能性がある。その代わりに、Ｐdesiredの値は、ルック−アップ・テーブル中の２つの隣接するＰ（ｉ）の値の間に存在する。従って、両方のルック−アップ・テーブルは、隣接するＰ（ｉ）の値に対応するＶagc及びＶcontrolの２つの値を出力するように構成される。
【００４４】
ルック−アップ・テーブル７１、７２から出力される２つの値は、それからＶagc及びＶcontrolの実際の値を計算するそれぞれの補間器（interpolator）７３、７４に入力される。補間器７３、７４からの計算された値Ｖagc及びＶcontrolは、関連するディジタル・アナログ変換器（ＤＡＣ）７５、７６に入力される。ディジタル・アナログ変換器（ＤＡＣ）７５、７６は、図１のベースバンド回路系にも与えられ、そして、図１のＶＧＡ増幅器１６及びパワー増幅器２２にそれぞれ与えられる対応する電圧Ｖagc及びＶcontrolにその値を変換する。
【００４５】
図８に図示される方法は、２つのルック−アップ・テーブルのみを必要とするので、メモリ要求量があまり多くない。しかしながら、精度が悪くなり、利得制御電圧が徐々に上昇するので、電流制御電圧がＶcontrol（ｊ）からＶcontrol（ｊ＋１）へ変化するとき、２つのルック−アップ・テーブルに記憶された値が、出力パワーに不連続性を生じさせる可能性がある。これは、電流制御電圧が、パワー増幅器の利得を変化させると同様に、それに加えられるバイアス電流を変化させるからである。そのため、電流制御電圧の段階的な変化は、パワーに段階的な変化を生じ、それは、（電流制御ステップの精細度に応じて）線形化された利得制御特性から僅かにはずれる。図８の手順におけるｉ及びｊの値の注意深い選択は、大きな不連続性が生じるのを回避し、したがって、そのような変化に付随した問題を回避することになる。
【００４６】
これまでに説明された方法及び手順は、任意の隣接する出力パワー値Ｐ（ｊ）とＰ（ｊ＋１）との間の電圧が一定である、即ち、電圧が段階的に変化する、という仮定に頼る。離散値から制御特性を計算する別の方法は、全ての隣接する点の対Ｖ（ｊ）、Ｐ（ｊ）及びＶ（ｊ＋１）、Ｐ（ｊ＋１）に対して、特性が線形である、即ち、隣接する点の間で連続的に変化する、と仮定することである。この仮定を使用すると、２つのルック−アップ・テーブル、すなわち：所望のパワーに対するＶagcの値についての１つのルック−アップ・テーブル；及び所望のパワーに対するＶcontrolについての１つのルック−アップ・テーブル、のみが必要となる。このアプローチは、また、次の説明から明白になるように、パワー不連続性を最小にするようにさせる。
【００４７】
添付図面の図１０は、この仮定の下で使用するためのデータを得るための適切な較正手順を説明するブロック図である。較正手順は、４つの操作を具備する。１、ルック−アップ・テーブルが定義される。２、Ｖcontrolの値が、定義されたルック−アップ・テーブルに記憶される。３、Ｖagcの開始値が生成され、定義されたルック−アップ・テーブルに記憶される。このステップは、その後のデータの処理を容易にするが、オプションである。４、Ｖagcの新規の最適値が生成され、定義されたルック−アップ・テーブルに記憶される。ブロック８０は、ルック−アップ・テーブルを定義するための操作の始まりを表す。ブロック８１ａにより表されるように、単一のルック−アップ・テーブル（ＬＵＴ）が、Ｖcontrol（ｉ）、Ｐ（ｉ）及びＶagc（ｉ）の１からｎの全てのｉ値に対して定義されることができ、あるいは、ブロック８１ｂにより表されるように、２つの別個のルック−アップ・テーブルが、Ｖcontrol（ｉ）及びＰ（ｉ）、並びにＶagc（ｉ）及びＰ（ｉ）の１からｎの全てのｉ値に対して定義されることができる。ブロック８２で、ｉがｎの値に到達すると、ルック−アップ・テーブルが定義される。
【００４８】
この段階で、あるいは実際にはルック−アップ・テーブルが定義される前でさえも、制御電圧（Ｖcontrol）及びパワー（Ｐ）特性（図３及び４参照）は、ブロック８３において、測定される。
【００４９】
手順は、次いで、Ｖagcの開始値が生成され、定義されたルック−アップ・テーブルに記憶されることになる操作へと進む。操作は、ブロック８４で始まり、再度、１からｎのｉの各値に対して繰り返す。ブロック８４ａにおいて、必要なパワーのｉ番目の値、即ちＰ（ｉ）が、入力され、ブロック８５において、Ｖcontrol（ｉ）の値は、電流制御ルック−アップ・テーブル内で、所望のＰ（ｉ）の値に隣接するＰ（ｊ）及びＰ（ｊ＋１）の２つの値に対して記憶されたＶcontrol（ｊ）及びＶcontrol（ｊ＋１）の値を調べることにより決定される。これは、図９に関して前述したアプローチと同様である。しかしながら、２つのＶcontrol値の最低の値、即ち、以前と同様にＶcontrol（ｊ）を単純に取る代わりに、値Ｖcontrol（ｊ）とＶcontrol（ｊ＋１）の両方が、Ｖcontrol（ｉ）に関する値を決定するために使用される。Ｖcontrol（ｉ）に関する値は、値Ｖcontrol（ｊ）とＶcontrol（ｊ＋１）との間の内挿により、又は値Ｖcontrol（ｊ）とＶcontrol（ｊ＋１）からの外挿により、計算される。Ｖcontrol（ｉ）の値は、それから、ブロック８１ａ又は８１ｂにおいて作成されたルック−アップ・テーブルに記憶される。手順は、ブロック８６で決定されたように、１からｎのｉの全ての値に対して繰り返される。
【００５０】
ブロック８６からの出口において、手順は、オプションとして、ブロック８７で継続することができる。そこでは、Ｖagcの開始値が生成され、１からｎの全てのｉの値に対してブロック８１ａ又は８１ｂで定義されたルック−アップ・テーブルに記憶されることになる、操作が開始される。Ｖagc（ｉ）に関する開始値は、以前に決定されたパワー増幅器特性から、容易に得られることができる。この手順は、ブロック８９で決定されるように、１からｎの全てのｉの値に対して、同様に、繰り返される。このオプションの手順を実行することの利点は、Ｖagcの最適値を導き出す時間を節約することにある。
【００５１】
あるいは、ブロック８６からの出口において、手順は、ブロック９０でＶagcの最適値の発生へ継続することもできる。この手順において、再度、１からｎの全てのｉの値に対して、図１のパワー増幅器２２に与えられる電圧Ｖcontrolは、ブロック９１により表されるように、値Ｖcontrol（ｉ）に対応するレベルに設定される。それから、ブロック９２に示されるように、図１のＶＧＡ増幅器１６に与えられる電圧Ｖagcは、必要とされた隣接チャンネル漏洩比（ＡＣＬＲ）の直線性が達成されるまで、調節される。この調節は、ＶＧＡ増幅器１６に与えられる最初の電圧Ｖagcが、そうであるべき値に近い場合、より効率的に達成されることができる。任意の電圧（例えば、０ボルト）から開始すると、必要な値を得るためにより長い時間がかかるという結果になる。そういう訳で、Ｖagc（ｉ）に関する最初の値の記憶をすることは、オプションである。Ｖagc（ｉ）の値は、ブロック９３により表されるように記憶され、手順は、ブロック９４で決定されるように、１からｎの全てのｉの値に対して、同様に、繰り返される。
【００５２】
このように作成されたルック−アップ・テーブルは、送信機が“閉ループ”通話にあるとき、送信機回路の増幅器を制御するために、図７に関連して既に説明されたものと同様な方法で使用される。ルック−アップ・テーブルに記憶されたデータから、ベースバンド回路系１２は、電圧ＶcontrolとＶagcの両方に関する正確な値を外挿する。電流制御電圧Ｖcontrolが、最初に設定され、それから、利得制御電圧Ｖagcが設定される。
【００５３】
電流制御特性が平滑であり、且つ制御電圧ＶcontrolとＶagcの両方が、各新規のパワー・レベルに対して同時に調節されるので、この方法は、出力パワーの最小限度の不連続性を生成する。その方法は、また、２つのルック−アップ・テーブルのみを必要とし、それは、ハードウェアのオーバーヘッドを低減させるが、余分な計算が含まれるために、より多くのプロセッサ・パワーを必要とすることがある。
【００５４】
前記の方法は、マッチング・パワー値がＶagc及びＶcontrolルック−アップ・テーブルに対して必要とされることを仮定する。しかしながら、パワーに対してＶcontrolに関するルック−アップ・テーブルを省略することにより、パワー制御精度とメモリ（ルック−アップ・テーブル）オーバーヘッドとの間のトレード・オフをもたらす可能性がある。図４の手順により得られたＰに対するＶcontrolの測定値は、その代わりに、Ｖagc及びＶcontrolに関する合理的な精度の値を得るために内挿とともに使用されることができる。
【００５５】
添付図面の図１１は、図１０に述べられた較正手順の簡略化バージョンを示す。この手順のバージョンにおいて、ブロック８１ｂは、Ｖagcに関する（Ｖcontrolに関するものではない）ルック−アップ・テーブルを定義することのみにより単純化されるが、ブロック８０から８３は、そのまま残る。ブロック８４から８９が省略されるので、一旦、Ｖcontrol対Ｐの測定（図４のとおり）が完了すると、手順は、ブロック９０で継続する。ｉ＝１からｎの各値に対して、必要なパワーＰ（ｉ）は、値がルック−アップ・テーブルから読み出されることが可能になるように入力される。これは、図１１のブロック９５により表される。
【００５６】
以前に（Ｐ（ｉ）及びＰdesiredに関し図９を参照して）説明されてきたように、必要とされたＰ（ｉ）の値に対応するルック−アップ・テーブル中の正確なＰの値がない可能性があり、その結果、Ｐ（ｉ）の値は、ルック−アップ・テーブルの２つの隣接するＰの値の間に存在する。従って、ルック−アップ・テーブルは、Ｖcontrolについて２つの隣接する値を出力し、それは、Ｖcontrolについて単一の値を与えるためにブロック９６において内挿される。ブロック９７において、パワー増幅器２２に与えられる電圧Ｖcontrolは、ルック−アップ・テーブルから出力される値に等しく設定され、ブロック９２（図１０のブロック９２に対応する）において、ＶＧＡ増幅器に与えられる電圧Ｖagcが、調節され、このように、送信機に必要とされたパワーで信号を送信させる。Ｖagc（ｉ）の値は、（図１０においてそうであったように）記憶され、オプションとして且つ付加的に、Ｖcontrol（ｉ）の値が、ブロック９３ａに記憶される。手順は、ブロック９４で決定されるように、１からｎの全てのｉの値に対して、繰り返される。
【００５７】
このように、好ましい実施形態を参照して本発明を説明したが、問題としている実施形態は、例示的のみであり、適切な知識及び技能を有する人達にできるような変更及び変形が、特許請求の範囲及びそれと同等なものに説明されたように、本発明の精神及び範囲を離脱しないで行われることができることは、充分に理解される。
【図１】
2015057925.tif 000003
【図２】
2015057925.tif 000004
【図３】
2015057925.tif 000005
【図４】
2015057925.tif 000006
【図５】
2015057925.tif 000007
【図６】
2015057925.tif 000008
【図７】
2015057925.tif 000009
【図８】
2015057925.tif 000010
【図９】
2015057925.tif 000011
【図１０】
2015057925.tif 000012
【図１１】
2015057925.tif 000013
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
第１制御信号により制御可能な第１特性及び第２制御信号により制御可能な第２特性を有する送信機回路を較正する方法、該方法は下記を具備する：
第１制御信号について複数の信号値のセットを定義すること；
複数の第１制御信号値の前記セットからの１つの信号値に対応するレベルに前記第１制御信号を設定すること；
所望の方式で送信機を動作させるために前記第２制御信号を調節すること；
前記所望の方式で動作している間に送信機により送信された信号のパワーを測定すること；及び
複数の第１制御信号値の前記セットにおける各信号値について、設定すること、調節すること及び測定することを繰り返すこと。
【手続補正２】
【補正対象書類名】明細書
【補正対象項目名】００５７
【補正方法】変更
【補正の内容】
【００５７】
このように、好ましい実施形態を参照して本発明を説明したが、問題としている実施形態は、例示的のみであり、適切な知識及び技能を有する人達にできるような変更及び変形が、特許請求の範囲及びそれと同等なものに説明されたように、本発明の精神及び範囲を離脱しないで行われることができることは、充分に理解される。
以下に、本願の出願当初請求項に記載された発明を付記する。
［１］
第１制御信号により制御可能な第１特性及び第２制御信号により制御可能な第２特性を有する送信機回路を較正する方法、該方法は下記を具備する：
第１制御信号について複数の信号値のセットを定義すること；
複数の第１制御信号値の前記セットからの１つの信号値に対応するレベルに前記第１制御信号を設定すること；
所望の方式で送信機を動作させるために前記第２制御信号を調節すること；
前記所望の方式で動作している間に送信機により送信された信号のパワーを測定すること；及び
複数の第１制御信号値の前記セットにおける各信号値について、設定すること、調節すること及び測定することを繰り返すこと。
［２］
複数の第１制御信号値の前記セットからの信号値に対する測定されたパワーを表すデータを記録することを更に具備する、上記［１］記載の方法。
［３］
データは、ルック−アップ・テーブルの入力として記録される、上記［１］又は［２］記載の方法。
［４］
前記所望の方式は、隣接チャンネル漏洩比範囲を含むパラメータにより定義される、上記［１］、［２］又は［３］記載の方法。
［５］
前記送信機回路は、第１増幅器及び第２増幅器を具備し、前記第１特性は前記第１増幅器の特性であり、前記第２特性は前記第２増幅器の特性である、上記［１］から［４］のいずれか１に記載の方法。
［６］
前記第１増幅器は、パワー増幅器を具備し、前記第１制御信号により制御される特性は、前記パワー増幅器への供給電流を具備する、上記［５］記載の方法。
［７］
前記第２増幅器は、調整増幅器を具備し、前記第２制御信号により制御される特性は、前記調整増幅器の利得を具備する、上記［５］又は［６］記載の方法。
［８］
第１制御信号により制御可能な第１特性及び第２制御信号により制御可能な第２特性を有する送信機回路を較正する方法、該方法は下記を具備する：
第１制御信号値について複数の信号値のセットを定義すること；
送信機により送信された信号のパワーを表す複数のパワー値のセットを定義すること；
複数の第１制御信号値の前記セットからの１つの信号値に対応するレベルに前記第１制御信号を設定すること；
複数のパワー値の前記定義されたセットからパワー値を選択すること；
選択されたパワー値に対応するパワーで信号を送信機に送信させるために前記第２制御信号を調節すること；及び
複数のパワー値の前記セットにおける各パワー値について、選択すること及び調節することを繰り返すこと。
［９］
送信された信号のパワーに対する前記第２制御信号を表すデータを記録することを更に具備する、上記［８］記載の方法。
［１０］
複数の第１制御信号値の前記セットからの各信号値について、設定すること、調節すること、選択すること及び繰り返すことを、繰り返すことを更に具備する、上記［８］又は［９］記載の方法。
［１１］
前記第２制御信号を表すデータ及び複数の第１制御信号値のセットからの信号値に対して送信された信号のパワーを記録することを更に具備する、上記［９］に従属する上記［１０］記載の方法。
［１２］
前記第２制御信号を表すデータ及び送信された信号のパワーは、複数の第１制御信号値の前記セットからの各信号値について別々のリストに記憶される、上記［１０］又は［１１］記載の方法。
［１３］
各別々のリストのデータは、それぞれのルック−アップ・テーブルの入力として記録される、上記［１２］記載の方法。
［１４］
前記第１制御信号についての複数の信号値のセットは、第１制御信号値に対する送信された信号パワー値を表す以前に作成されたデータを使用することにより定義される、上記［８］又は［９］記載の方法。
［１５］
以前に作成されたデータは、複数のパワー値の定義されたセットからパワー値を選択し、第１制御信号について信号値を計算することによって使用される、上記［１３］記載の方法。
［１６］
前記送信機回路は、第１増幅器及び第２増幅器を具備し、前記第１特性は前記第１増幅器の特性であり、前記第２特性は前記第２増幅器の特性である、上記［８］から［１５］のいずれか１に記載の方法。
［１７］
前記第１増幅器は、パワー増幅器を具備し、前記第１制御信号により制御される特性は、前記パワー増幅器への供給電流を具備する、上記［１６］記載の方法。
［１８］
前記第２増幅器は、調整増幅器を具備し、前記第２制御信号により制御される特性は、前記調整増幅器の利得を具備する、上記［１６］又は［１７］記載の方法。
［１９］
以前に作成されたデータは、上記［１］から［７］のいずれかに記載の方法を使用して作成される、上記［１４］又は［１５］記載の方法。
［２０］
前記第２制御信号についての開始値のセットを記憶すること、及び
選択されたパワー値に対応するパワーで信号を送信機に送信させるために第２制御信号を調節するときに開始値のセットを使用すること、
を更に具備する、上記［１９］記載の方法。
［２１］
下記を具備する送信機：
パワー値を指定するパワー・データを受信するための受信機；
第１制御信号により制御可能な第１特性及び第２制御信号により制御可能な第２特性を有する増幅器；
パワー値、対応する第１制御信号値及び対応する第２制御信号値を表すデータを記憶するための記憶装置；及び
受信されたパワー・データに応答して、前記第１特性を制御するための第１制御信号及び前記第２特性を制御するための第２制御信号を前記記憶装置に記憶されたデータから発生させるための、前記受信機及び前記記憶装置に接続されたコントローラ。
［２２］
前記増幅器は、第１増幅器及び第２増幅器を具備し、前記第１特性は前記第１増幅器の特性であり、前記第２特性は前記第２増幅器の特性である、上記［２１］記載の送信機。
［２３］
前記記憶装置は、ルック−アップ・テーブルを具備し；
前記コントローラは、前記増幅器に接続されたアナログ・ディジタル変換器を具備し；
前記コントローラは、受信されたパワー・データを前記ルック−アップ・テーブルに適用するように構成され；
前記ルック−アップ・テーブルは、前記アナログ・ディジタル変換器にデータを供給することによって受信されたパワー・データの適用に応答するように構成され；及び
前記アナログ・ディジタル変換器は、前記第１制御信号を前記第１増幅器に、前記第２制御信号を前記第２増幅器に出力することによって、供給されたデータに応答するように構成される：
上記［２２］記載の送信機。
［２４］
前記コントローラは、前記第１制御信号値及び前記第２制御信号値を直接に前記アナログ・ディジタル変換器に出力するように構成される、上記［２３］記載の送信機。
［２５］
前記コントローラは：
前記第１制御信号及び前記第２制御信号を定義するデータを生成するために記憶装置からのデータを処理する；及び
それをアナログ・ディジタル変換器に出力する、
ためのプロセッサを具備する、上記［２３］又は［２４］記載の送信機。
［２６］
前記記憶装置は：
パワー値及び対応する第１制御信号値を表すデータを記憶するための第１ルック−アップ・テーブル；及び
パワー値及び対応する第２制御信号値を表すデータを記憶するための第２ルック−アップ・テーブル、
を具備する、上記［２１］から［２５］のいずれかに記載の送信機。
［２７］
前記記憶装置は、第１制御信号値の前記セット中の各値に対して１つの、複数の第２ルック−アップ・テーブルを具備し；及び
前記プロセッサは、指定されたパワー・データを使用して、第１ルック−アップ・テーブルから第１制御信号値を生成するように、および、そのようにして生成された第１制御信号値を使用して、指定されたパワー・データに応じて第２制御信号値を生成する際に使用するための第２ルック−アップ・テーブルを特定するように構成される、
上記［２６］記載の送信機。
［２８］
前記第１増幅器はパワー増幅器を具備し、前記第１制御信号により制御される特性は前記パワー増幅器への供給電流を具備する、上記［２２］又はそれに従属する上記［２３］から［２７］のいずれかに記載の送信機。
［２９］
前記第２増幅器は調整増幅器を具備し、前記第２制御信号により制御される特性は前記調整増幅器の利得を具備する、上記［２２］又はそれに従属する上記［２３］から［２８］のいずれかに記載の方法。
［３０］
前記記憶装置中のデータは上記［１］から［１７］のいずれかに記載の方法を使用して発生される、上記［２１］から［２９］のいずれかに記載の送信機。
［３１］
添付図面に関連して実質的にこの中に記載された方法。
［３２］
添付図面に関連して実質的にこの中に記載された装置。
【外国語明細書】
2015057925000001.pdf